(57)【要約】【課題】チップソー等の丸鋸の切れ味を長期に渡って良好な状態に保つことができ、丸鋸の長寿命化を実現できて、交換にかかるランニングコストを低減することが可能な丸鋸を提供する。【解決手段】超硬チップ５ａが磨耗したり破損したりして、切れ味が悪くなってきたら、大突出部５を溝９のところで折り、超硬チップ５ａと共に大突出部５の溝９より上側部分を除去する。溝９は小突出部７の高さより低い位置に形成されているので、大突出部５の溝９より上側部分を除去すると、小突出部７に設けられた超硬チップ７ａの作用部７ｂが外周部４から最も高く突出するものとなる。大突出部５を除去する前においては超硬チップ５ａだけが磨耗等して、小突出部７の超硬７ａは磨耗等することはなく、新品の状態を保ったままであるので、チップソー１は新品の極めて良好な切れ味を発揮することになる。【選択図】        図４
2008018550.tif 000002
【特許請求の範囲】
【請求項１】
回転軸に取り付けられる台金本体と、台金本体の外周面から突出して設けられる複数の突出部と、前記突出部にそれぞれ設けられ前記台金本体の回転中心から離間する方向へ突出する刃部とを有する丸鋸において、前記複数の刃部の切削を行う作用部の台金本体の外周面から突出する高さの異なるものが混在しており、前記複数の刃部の作用部のうち台金本体の外周面から最も高く突出するものを除去すると、前記除去した刃部の作用部の次に高く突出する刃部の作用部が最も高く突出するものとなることを特徴とする丸鋸。
【請求項２】
請求項１に記載した丸鋸において、突出部の突出する高さを変えることによって、刃部の作用部の台金本体の外周面から突出する高さの異なるものを混在させたことを特徴とする丸鋸。
【請求項３】
請求項１にした丸鋸において、刃部の突出部から突出する高さを変えることによって、刃部の作用部の台金本体の外周面から突出する高さの異なるものを混在させたことを特徴とする丸鋸。
【請求項４】
請求項１から３のいずれかに記載した丸鋸において、突出する高さの最も高い作用部をもつ刃部が設けられた突出部を前記刃部と共に除去すると、前記除去した刃部の次に高く突出する刃部が台金本体の外周面から最も高く突出するものとなることを特徴とする丸鋸。
【請求項５】
請求項１から４のいずれかに記載した丸鋸において、除去対象となる突出部には、他の部分より強度の小さい破断予定部位が設けられていることを特徴とする丸鋸。
【請求項６】
請求項１から５のいずれかに記載した丸鋸において、突出部には刃部の切れ味が悪くなった場合に、除去する刃部の順番を示す表示が設けられていることを特徴とする丸鋸。
【請求項７】
請求項１から６のいずれかに記載した丸鋸において、刃部は突出部に固定された超硬チップであることを特徴とする丸鋸。
【発明の詳細な説明】
【技術分野】
【０００１】
本発明はチップソー等の丸鋸に係り、よい切れ味を長期に渡って保つことができる丸鋸に関するものである。
【背景技術】
【０００２】
特許文献１に記載されたチップソーは円盤状の台金本体と、台金本体の径方向へ突出する複数の突出部と、この突出部に形成された凹部に嵌められてロウ付けされた超硬チップとから構成されている。突出部の数は通常３０〜４０であり、この突出部にそれぞれ超硬チップが設けられている。このチップソーは、その回転中心から突出部までの距離は全て等しく、従ってチップソーの回転中心から超硬チップまでの距離も全て等しく設定されている。
チップソーは例えば草刈り用の刈払い機に搭載されて使用される。そして超硬チップが摩耗したり破損したりすると切れ味が悪くなるため、チップソーを消耗品として交換している。
【０００３】
【特許文献１】特開平１１−１４６７２０公報
【発明の開示】
【発明が解決しようとする課題】
【０００４】
しかしながら、交換するチップソーのコストは決して安いものではなく、長期に渡るランニングコストとして考えると相当な負担となる。
本発明は上記従来問題点に着目して為されたものであり、チップソー等の丸鋸の切れ味を長期に渡って良好な状態に保つことができ、丸鋸の長寿命化を実現できて、ランニングコストを低減することが可能な丸鋸を提供することを、その目的とする。
【課題を解決するための手段】
【０００５】
本発明は上記課題を解決するためになされたものであり、請求項１の発明は、回転軸に取り付けられる台金本体と、台金本体の外周面から突出して設けられる複数の突出部と、前記突出部にそれぞれ設けられ前記台金本体の回転中心から離間する方向へ突出する刃部とを有する丸鋸において、前記複数の刃部の切削を行う作用部の台金本体の外周面から突出する高さの異なるものが混在しており、前記複数の刃部の作用部のうち台金本体の外周面から最も高く突出するものを除去すると、前記除去した刃部の作用部の次に高く突出する刃部の作用部が最も高く突出するものとなることを特徴とする丸鋸である。
【０００６】
請求項２の発明は、請求項１に記載した丸鋸において、突出部の突出する高さを変えることによって、刃部の作用部の台金本体の外周面から突出する高さの異なるものを混在させたことを特徴とする丸鋸である。
【０００７】
請求項３の発明は、請求項１にした丸鋸において、刃部の突出部から突出する高さを変えることによって、刃部の作用部の台金本体の外周面から突出する高さの異なるものを混在させたことを特徴とする丸鋸である。
【０００８】
請求項４の発明は、請求項１から３のいずれかに記載した丸鋸において、突出する高さの最も高い作用部をもつ刃部が設けられた突出部を前記刃部と共に除去すると、前記除去した刃部の次に高く突出する刃部が台金本体の外周面から最も高く突出するものとなることを特徴とする丸鋸である。
【０００９】
請求項５の発明は、請求項１から４のいずれかに記載した丸鋸において、除去対象となる突出部には、他の部分より強度の小さい破断予定部位が設けられていることを特徴とする丸鋸である。
【００１０】
請求項６の発明は、請求項１から５のいずれかに記載した丸鋸において、突出部には刃部の切れ味が悪くなった場合に、除去する刃部の順番を示す表示が設けられていることを特徴とする丸鋸である。
【００１１】
請求項７の発明は、請求項１から６のいずれかに記載した丸鋸において、刃部は突出部に固定された超硬チップであることを特徴とする丸鋸である。
【発明の効果】
【００１２】
本発明の丸鋸によれば、チップソー等の丸鋸の切れ味を長期に渡って良好な状態に保つことができ、丸鋸の長寿命化を実現できてランニングコストを低減することが可能となる。
【発明を実施するための最良の形態】
【００１３】
本発明の実施の形態１に係る丸鋸としてのチップソー１を図１から図４にしたがって説明する。このチップソー１は草刈り用の刈払い機に搭載されて使用される。
符号３は円板形の台金本体を示し、この台金本体３の中心部には、台金本体３を草刈り用の刈払い機の回転軸（図示せず）に取り付けるための取付孔２が形成されている。また台金本体３には、その外周面４から突出する大突出部５と小突出部７が各々２０、合計４０形成されている。大突出部５と小突出部７は台金本体３の回転中心Ｃから離間する方向へ突出している。大突出部５は小突出部７より高く突出しており、大突出部５と小突出部７は交互に配置されている。
【００１４】
大突出部５、小突出部７には取付凹部１０がそれぞれ形成され、この取付凹部１０には刃部としての超硬チップ５ａ、７ａがそれぞれ嵌められてロウ付けされている。なお、超硬チップ５ａ、７ａは同じものである。
超硬チップ５ａ、７ａの切削を行う作用部５ｂ、７ｂは取付凹部１０から突出している。この作用部５ａ、７ａの取付凹部１０からの突出寸法は大突出部５に固定された超硬チップ５ａと小突出部７に固定された超硬チップ７ａのいずれにおいても同じである。前記したように大突出部５と小突出部７は台金本体３の回転中心Ｃから離間する方向へ突出しているので、超硬チップ５ａ、７ａの作用部５ｂ、７ｂも台金本体３の回転中心Ｃから離間する方向へ突出している。
【００１５】
前記したように大突出部５が小突出部７より高く突出するように、その高さを変えているので、超硬チップ５ａの作用部５ｂは超硬チップ７ａの作用部７ｂより台金本体３の外周面４から高く突出している。即ち、超硬チップ７ａの作用部７ｂは超硬チップ５ａの作用部５ｂの次に外周面４から高く突出するものとして設けられている。従って、台金本体３には、チップソー１の外周面４から突出する高さの異なる超硬チップ５ａの作用部５ｂと超硬チップ７ａの作用部７ｂとが混在して設けられている。
【００１６】
図２、図３（Ａ）に拡大して示すように、大突出部５の突出方向（台金本体３の径方向）のほぼ中心には破断予定部としての溝９が形成されている。大突出部５の溝９は形成された部分は他の部分より小さい強度となっている。この溝９は小突出部７の高さより低い位置（回転中心Ｃに近い位置）に形成されている。
【００１７】
次に、このチップソー１の使用方法を説明する。
チップソー１を草刈り用の刈払い機に搭載して草刈りを行うと、チップソー１が反時計回りの方向へ回転する。前記のように超硬チップ５ａの作用部５ｂは超硬チップ７ａの作用部７ｂより高く突出しているので、２０個の超硬チップ５ａの作用部５ｂだけが草に接触して草を切断する。即ち、大突出部５は小突出部７よりチップソー１の外周面４からへ大きく突出しているので、チップソー１が高速で回転しても、作用部７ｂは草に殆ど接触することはない。従って、作用部５ｂだけが磨耗したり破損したりして、作用部７ｂは磨耗したり破損したりすることはなく、新品の状態を保つことになる。
なお、チップソー１は高速回転するので、大突出部５の２０個の超硬チップ５ａだけで十分な性能を発揮し、草刈り作業の能率が落ちることはない。
【００１８】
ある程度の期間使用して、超硬チップ５ａが磨耗したり破損したりして、切れ味が悪くなってきたら、ペンチ等の工具を用いて、図３（Ｂ）に示すように大突出部５を溝９のところで折り、超硬チップ５ａと共に大突出部５の溝９より上側部分を除去して、チップソー１を図４に示す状態とする。溝９は小突出部７の高さより低い位置に形成されているので、大突出部５の溝９より上側部分を除去すると、小突出部７に設けられた超硬チップ７ａの作用部７ｂが外周部４から最も高く突出するものとなる。この状態でチップソー１を刈払い機に搭載して使用する。
【００１９】
前述のように、大突出部５を除去する前においては超硬チップ５ａだけが磨耗等して、超硬チップ７ａは磨耗等することはなく、新品の状態を保ったままであるので、チップソー１は新品の極めて良好な切れ味を発揮することになる。
上記のように実施の形態１のチップソー１は、超硬チップ５ａ、７ａを言わば二段階に分けて使用することができるので、その切れ味を長期に渡って良好な状態に保つことが可能である。その結果として丸鋸の長寿命化を実現できて、交換にかかるランニングコストを低減することが可能となる。
【００２０】
本発明の実施の形態２に係る丸鋸としてのチップソー２１を図５から図７にしたがって説明する。このチップソー２１は実施の形態１のチップソー１と同様の構成部分を有するので、同様の構成部分については実施の形態２の説明において、実施の形態１で用いた符号と同じ符号を付し、その説明を省略する。このことは実施の形態３についても適用する。
【００２１】
チップソー２１の台金本体３の外周部４には大突出部２３、中突出部２５及び小突出部２７が各々１０、合計３０形成されている。大突出部２３、中突出部２５及び小突出部２７は台金本体３の回転中心Ｃから離間する方向へ突出している。
大突出部２３は中突出部２５よりも高く突出しており、中突出部２５は小突出部２７よりも高く突出している。大突出部２３、中突出部２５及び小突出部２７は順番に配置されている。即ち、小突出部２７は中突出部２５の次に高く突出するものとして、また中突出部２５は大突出部２３の次に高く突出するものとして設けられている。
【００２２】
大突出部２３、中突出部２５及び小突出部２７の取付凹部１０には、超チップ２３ａ、２５ａ、２７ａがそれぞれ嵌められてロウ付けされている。なお、超硬チップ２３ａ、２５ａ、２７ａは同じものである。
超硬チップ２３ａ、２５ａ、２７ａの切削を行う作用部２３ｂ、２５ｂ、２７ｂは取付凹部１０から突出している。これら作用部２３ｂ、２５ｂ、２７ｂの取付凹部１０からの突出寸法はいずれにおいても同じである。前記したように大突出部２３、中突出部２５及び小突出部２７は台金本体３の回転中心Ｃから離間する方向へ突出しているので、超硬チップ２３ａ、２５ａ、２７ａの作用部２３ｂ、２５ｂ、２７ｂも台金本体３の回転中心Ｃから離間する方向へ突出している。
従って、台金本体３には、チップソー２１の外周面４から突出する高さの異なる超硬チップ２３ａ、２５ａ、２７ａの作用部２３ｂ、２５ｂ、２７ｂが混在して設けられている。
【００２３】
大突出部２３と中突出部２５とに溝９が形成され、小突出部２７には溝９は形成されていない。大突出部２３の溝９は中突出部２５の突出方向（台金本体３の径方向）の寸法より低い位置（回転中心Ｃに近い位置）に形成され、また中突出部２５の溝９は小突出部２７の突出方向（台金本体３の径方向）の寸法より低い位置（回転中心Ｃに近い位置）に形成されている。
大突出部２３の溝９には赤色のペイントが施され、また中突出部２５の溝９には青色のペイントが施されている。そして、このチップソー２１に添付される説明書には、最初に使用して切れ味が悪くなったとき（大突出部２３の超硬チップ２３ａが磨耗等した場合）には赤色ペイントが施された溝９の部分を折る旨、次に切れ味が悪くなったとき（中突出部２５の超硬チップ２５ａが磨耗等した場合）には青色ペイントが施された溝９の部分を折る旨を記載しておく。このようにすれば、大突出部２３と中突出部２５を折り、除去する順番を間違えるのを防止することができる。
これら溝９に施された青色及び赤色のペイントによって除去する刃部の順番を示す表示が構成されている。
【００２４】
このチップソー２１は、まず図５に示すように大突出部２３、中突出部２５及び小突出部２７のいずれもが存在する状態でチップソー２１を使用する。この状態では、大突出部２３の超硬チップ２３ａの刃部２３ｂだけが草に接触して草を切断する。
【００２５】
大突出部２３の超硬チップ２３ａの作用部２３ｂが磨耗等した場合には、図６に示すように大突出部２３を超硬チップ２３ａと共に除去して使用する。このようにすれば、除去した超硬チップ２３ａの作用部２３ｂ次に径方向へ大きく突出する中突出部２５に設けられた超硬チップ２５ａの作用部２５ｂが径方向へ最も大きく突出することになる。よって磨耗等していない新品の超硬チップ２５の作用部２５ｂだけが草に接触して草を切断するので、切れ味が良好な状態となる。
【００２６】
中突出部２５超硬２５ａが磨耗等した場合には、図７に示すように中突出部２５を超硬チップ２５ａと共に除去して使用する。このようにすれば、除去した中突出部２５の次に高く突出する小突出部２７に設けられた超硬チップ２７ａが最も高く突出することになる。よって磨耗等していない新品の超硬チップ２７ａの作用部２７ｂだけが草に接触して草を切断するので、切れ味が良好な状態となる。
このようにチップソー２１では超硬チップ２３ａ、２５ａ、２７ａを言わば三段階に分けて使用するので、その切れ味を長期に渡って良好な状態に保つことが可能である。その結果として丸鋸の長寿命化を実現できて、交換にかかるランニングコストを低減することが可能となる。
【００２７】
本発明の実施の形態３に係る丸鋸としてのチップソー３１を図８から図１０にしたがって説明する。
台金本体３には、その外周面４から突出する突出部３３と突出部３５が各々２０、合計４０形成されている。突出部３３と突出部３５は台金本体３の回転中心Ｃから離間する方向へ同じ高さに突出している。突出部３３と突出部３５は交互に配置されており、突出部３３にのみ溝９が形成されている。
突出部３３の取付凹部１０には超硬チップ３３ａがロウ付けされており、突出部３５の取付凹部１０には超硬チップ３５ａがロウ付けされている。
【００２８】
超硬チップ３３ａは超硬チップ３５ａより取付凹部１０から大きく突出しており、よって超硬チップ３３ａの作用部３３ｂは超硬チップ３５ａの作用部３５ｂより台金本体３の外周面４から高く突出している。即ち、作用部３５ｂは作用部３３ｂの次に外周面４から高く突出するものとして設けられている。従って、台金本体３には、チップソー１の外周面４から突出する高さの異なる超硬チップ３３ａの作用部３３ｂと超硬チップ３５ａの作用部３５ｂとが混在して設けられている。
【００２９】
なお、超硬チップ３３ａと超硬チップ３５ａはロウ付けする段階では同じ寸法のものであるが、ロウ付け後に超硬チップ３３ａと超硬チップ３５ａを研磨する工程において、作用部３３ｂと作用部３５ｂ研磨の程度を変えることによって、作用部３３ｂが作用部３５ｂより台金本体３の外周面４から高く突出するように加工している。即ち、超硬チップ３３ａ、３５ａの突出部３３、３５から突出する高さを変えて、作用部３３ｂ、３５ｂの台金本体３の外周面４から突出する高さの異なるものを混在させている。
チップソー３１の使用方法は、実施の形態１のチップソー１と同様である。
【００３０】
以上、本発明の実施の形態について詳述してきたが、具体的構成は、この実施の形態に限られるものではなく、本発明の要旨を逸脱しない範囲における設計の変更などがあっても本発明に含まれる。
例えば、上記実施の形態ではチップソーを示したが、本発明はチップソーに限らず、突出部に刃部が直に形成される丸鋸にも適用できる。また、本発明は刈払い機用の丸鋸に限定されず、木材や鉄鋼等の金属製の部材を切断するチップソー等の丸鋸にも適用できる。
【００３１】
また、刃部（超硬チップ）の数は上記したものに限定されず、刃部が複数であればよい。また、突出高さの異なる刃部の作用部は同数ずつ設ける必要なく、突出高さの異なる刃部の作用部が異なる数、設けられていてもよい。
破断予定部は上記した溝以外でも他の部分より強度を小さくできればよく、突出部の組織を一部変質させて強度を小さくしたものであってよい。
また、除去する刃部の順番を示す表示は溝９に施された青色及び赤色のペイントに限定されず、例えば、突出部に記載した数字等によって構成してもよい。
なお、上記実施の形態では、溝９を突出部の片面にのみ形成しているが、両面に溝９を形成してもよいのは勿論である。
また、超硬チップの他、サーメットチップ、ダイヤモンドチップを使用してもよい。
【産業上の利用可能性】
【００３２】
本発明はチップソー等の丸鋸に利用でき、この丸鋸は上記した刈払い機のほか、木工材料、金属材料の切断装置に搭載して利用することが可能である。
【図面の簡単な説明】
【００３３】
【図１】本発明の実施の形態１に係るチップソーの正面図である。
【図２】図１のチップソーの突出部の一部拡大図である。
【図３】図１のチップソーの大突出部の側面図である。
【図４】図1のチップソーの大突出部を除去した状態の正面図である。
【図５】本発明の実施の形態２に係るチップソーの正面図である。
【図６】図５のチップソーの大突出部を除去した状態の正面図である。
【図７】図５のチップソーの大突出部と中突出部を除去した状態の正面図である。
【図８】本発明の実施の形態３に係るチップソーの正面図である。
【図９】図８のチップソーの突出部の一部拡大図である。
【図１０】図８のチップソーの突出部を除去した状態の正面図である。
【符号の説明】
【００３４】
１、２１、３１  チップソー      ２  取付孔      ３  台金本体
５、２３  大突出部      ２５  中突出部      ７、２７  小突出部
３３、３５  突出部
９  溝      １０  取付凹部      
５ａ、７ａ、２３ａ、２５ａ、２７ａ、３３ａ、３５ａ  超硬チップ
５ｂ、７ｂ、２３ｂ、２５ｂ、２７ｂ、３３ｂ、３５ｂ  作用部
Ｃ  チップソーの回転中心
【図１】
2008018550.tif 000003
【図２】
2008018550.tif 000004
【図３】
2008018550.tif 000005
【図４】
2008018550.tif 000006
【図５】
2008018550.tif 000007
【図６】
2008018550.tif 000008
【図７】
2008018550.tif 000009
【図８】
2008018550.tif 000010
【図９】
2008018550.tif 000011
【図１０】
2008018550.tif 000012